(57)【特許請求の範囲】
【請求項１】
患者の患部に粒子線ビームを照射する粒子線照射装置と、
前記患者の体内３次元画像を取得するＣＴ装置と、
を備えた粒子線治療装置であって、
前記粒子線照射装置は、
粒子線ビームを２次元走査するビーム走査電磁石と、
前記ビーム走査電磁石により２次元走査された粒子線ビームを前記患者の患部に照射する照射ポートと、
を有し、
前記照射ポートは、前記粒子線ビームの位置を検出する位置モニタを備えた照射ポート固定部と、この照射ポート固定部に対して移動可能な照射ポート可動部とを有し、
前記照射ポートは、前記ＣＴ装置の近傍であって、前記ＣＴ装置の画像取得時における移動範囲内に設置され、かつ前記ＣＴ装置の画像取得時に当該照射ポートが前記ＣＴ装置の移動範囲外になるように前記照射ポート可動部を移動可能であることを特徴とする粒子線治療装置。
【請求項２】
前記照射ポート可動部は、前記照射ポート固定部に対して水平方向に移動することを特徴とする請求項１に記載の粒子線治療装置。
【請求項３】
前記粒子線ビームの患者への体内飛程を調整する飛程調整器をさらに備え、この飛程調整器の少なくとも一部を前記照射ポート可動部に搭載したことを特徴とする請求項１または２に記載の粒子線治療装置。
【請求項４】
請求項１に記載の粒子線治療装置により前記体内３次元画像を撮像する撮像方法であって、
前記照射ポート可動部を前記ＣＴ装置の移動範囲外に移動させる照射ポート可動部移動工程と、
前記照射ポート可動部移動工程の後に、前記ＣＴ装置を画像取得位置まで移動させるＣＴ装置移動工程と、
前記ＣＴ装置移動工程の後に、前記ＣＴ装置を用いて前記患者の体内３次元画像を取得する画像取得工程と、
を有することを特徴とする粒子線治療装置を用いた撮像方法。
【発明の詳細な説明】
【技術分野】
【０００１】
本発明の実施形態は、炭素等の重粒子線ビーム又は陽子ビーム等の粒子線ビーム（以下、単にビームともいう。）を例えば患部に照射し、がん治療を行う粒子線治療装置及びこれを用いた撮像方法に関する。
【背景技術】
【０００２】
現在、がん治療には、例えば粒子線照射方法が使用されている。この粒子線照射方法には、拡大ビーム法と呼ばれる方法がある。この拡大ビーム法では、ワブラ法、あるいは二重散乱体法と呼ばれる方法によりビーム径を患部サイズ以上に拡大している。また、拡大ビーム法は、コリメータにより照射領域を制限することにより、患部形状に合致させて照射を行う。しかし、拡大ビーム法は、厳密には３次元的に患部形状に合致させることができず、患部周りの正常細胞への影響を小さくするには限界がある。
【０００３】
そこで、３次元スキャニング照射法が開発された。この３次元スキャニング照射法では、Ｘ線撮影で得られた透視画像と、予めコンピュータ断層撮影（Computed Tomography、以下、ＣＴと略称する。）画像により作成した参照画像とを比較し、位置のずれ量を求めている。そして、この位置のずれ量を治療寝台に設定し、透視画像と参照画像とが合うようにする。この画像合せは、２次元画像同士の比較であるので２Ｄ（dimensions）−２Ｄ位置決めと呼ばれている。
【０００４】
しかし、より高精度の位置決めを行う方法としては、治療室にＣＴ装置を設置し、患者を治療寝台に搭載した状態でＣＴ撮影を行い、治療計画用ＣＴ画像との比較を行う方法がある。この方法は、３次元画像同士の比較であるので３Ｄ（dimensions）−３Ｄ位置決めと呼ばれている。
【先行技術文献】
【特許文献】
【０００５】
【特許文献１】特開２０１０−９４２２１号公報
【非特許文献】
【０００６】
【非特許文献１】JOURNAL OF APPLIED CLINICAL MEDICAL PHYSICS, Vol.13, Num. 6,2012, Patient handling system for carbon ion beam scanning therapy, S. Mori, et.al.
【発明の概要】
【発明が解決しようとする課題】
【０００７】
しかしながら、従来の３次元スキャニング照射法では、患者をアイソセンター近傍に設置してＣＴ撮影を行おうとすると、アイソセンター近傍にＣＴ装置が設置されている場合には、ＣＴ装置と照射ポートとが干渉する。そのため、患者をアイソセンター近傍に位置設定した状態では、ＣＴ撮影を行うことができなかった。
【０００８】
本実施形態が解決しようとする課題は、ＣＴ装置と粒子線照射装置との干渉を回避可能な粒子線治療装置及びこれを用いた撮像方法を提供することである。
【課題を解決するための手段】
【０００９】
上記課題を解決するために、本実施形態に係る粒子線治療装置は、患者の患部に粒子線ビームを照射する粒子線照射装置と、前記患者の体内３次元画像を取得するＣＴ装置と、を備えた粒子線治療装置であって、前記粒子線照射装置は、粒子線ビームを２次元走査するビーム走査電磁石と、前記ビーム走査電磁石により２次元走査された粒子線ビームを前記患者の患部に照射する照射ポートと、を有し、前記照射ポートは、前記粒子線ビームの位置を検出する位置モニタを備えた照射ポート固定部と、この照射ポート固定部に対して移動可能な照射ポート可動部とを有し、前記照射ポートは、前記ＣＴ装置の近傍であって、前記ＣＴ装置の画像取得時における移動範囲内に設置され、かつ前記ＣＴ装置の画像取得時に当該照射ポートが前記ＣＴ装置の移動範囲外になるように前記照射ポート可動部を移動可能であることを特徴とする。
【００１２】
さらに、本実施形態の粒子線治療装置を用いた撮像方法は、前記粒子線治療装置により前記体内３次元画像を撮像する撮像方法であって、前記照射ポート可動部を前記ＣＴ装置の移動範囲外に移動させる照射ポート可動部移動工程と、前記照射ポート可動部移動工程の後に、前記ＣＴ装置を画像取得位置まで移動させるＣＴ装置移動工程と、前記ＣＴ装置移動工程の後に、前記ＣＴ装置を用いて前記患者の体内３次元画像を取得する画像取得工程と、を有することを特徴とする。
【発明の効果】
【００１３】
本実施形態によれば、ＣＴ装置と粒子線照射装置との干渉を回避することが可能になる。
【図面の簡単な説明】
【００１４】
【図１】一実施形態の粒子線治療装置を示す立面構成図である。
【図２】図１のＣＴ装置と照射ポートとの位置関係を示す概略構成図である。
【図３】一実施形態の粒子線治療装置を用いた治療順序の一例を示すフローチャートである。
【図４】一実施形態のスキャニング照射装置を用いた照射手順の一例を示すフローチャートである。
【発明を実施するための形態】
【００１５】
以下、本実施形態に係る粒子線照射装置、粒子線治療装置及びこれを用いた撮像方法について、図面を参照して説明する。
【００１６】
（一実施形態）
図１は一実施形態の粒子線治療装置を示す立面構成図である。図２は図１のＣＴ装置と照射ポートとの位置関係を示す概略構成図である。
【００１７】
図１に示すように、本実施形態の粒子線治療装置は、概ね粒子線照射装置としてのスキャニング照射装置１と、このスキャニング照射装置１にとって他の装置であるＣＴ装置２と、Ｘ線撮影装置３と、治療寝台４と、を備える。これらスキャニング照射装置１の照射ポート１０、ＣＴ装置２、Ｘ線撮影装置３、及び治療寝台４は、治療室１４内に設置されている。スキャニング照射装置１の照射ポート１０は、ＣＴ装置２の近傍であって、ＣＴ装置２の画像取得時（撮影時）における移動範囲内に設置されている。
【００１８】
Ｘ線撮影装置３は、２セットで構成され、床下１９にＸ線管５ａ，５ｂが設置され、天井９に取り付けた平面Ｘ線検出器（Flat Panel Detector、以下、ＦＰＤと略称する。）駆動機構７ａ，７ｂの先端部にＦＰＤ６ａ，６ｂが設置され、２方向から体内透視画像を取得できるように構成されている。
【００１９】
ＦＰＤ６ａ，６ｂは、それぞれＦＰＤ駆動機構７ａ，７ｂを駆動することにより昇降可能である。ＦＰＤ６ａ，６ｂは、体内透視画像を取得する場合、下降した位置にある。また、ＦＰＤ６ａ，６ｂは、ＣＴ装置２がＣＴ撮影位置の治療寝台４の位置まで移動する場合、ＣＴ装置２と干渉しない位置まで上昇している。
【００２０】
スキャニング照射装置１の先端部には、治療寝台４に搭載された患者にビームを照射する照射ポート１０が設置されている。この照射ポート１０は、照射ポート可動部２０と、照射ポート固定部３０とから分離して構成されている。照射ポート可動部２０は、照射ポート固定部３０に対して水平移動可能であって、ＣＴ装置２の移動範囲内に位置している。照射ポート可動部２０は、ＣＴ装置２が治療寝台４の位置まで移動する場合、ＣＴ装置２と干渉しない位置に水平移動する。
【００２１】
スキャニング照射装置１は、治療室１４内に配置された照射ポート１０と、治療室１４外に設置されたビーム走査電磁石としてのスキャニング電磁石１１と、真空ダクト１２とを備える。この真空ダクト１２の一方は、照射ポート１０の上流側に固定され、他方の端部はスキャニング電磁石１１を貫通して後述する加速器の取出し機器１８まで延びている。
【００２２】
照射ポート可動部２０は、治療室１４内に立設された化粧壁１３に対してビーム下流側に配置されている。照射ポート可動部２０内には、飛程調整器としてのレンジシフタ２１、リッジフィルタ２２が設置されている。
【００２３】
照射ポート固定部３０は、化粧壁１３に対してビーム上流側に配置されている。照射ポート固定部３０内には、真空ダクト１２の一部、位置モニタ３１、線量モニタ３２が設置されている。
【００２４】
ＣＴ装置２は、自走式であり、治療室１４内の床面に敷設された２本のレール３３に沿って治療寝台４まで移動可能に構成されている。具体的には、ＣＴ装置２は、２本のレール３３を走行する複数の走行車輪３４を備え、これらの走行車輪３４のうちのいずかが図２に示す駆動モータ３５の出力軸と連結されている。したがって、駆動モータ３５を駆動させると、走行車輪３４が２本のレール３３に沿って走行することで、ＣＴ装置２は、治療寝台４まで移動することができる。
【００２５】
ＣＴ装置２によるＣＴ撮影時には、照射ポート可動部２０が干渉する位置にある。この場合には、照射ポート可動部２０が水平移動することで、ＣＴ装置２と干渉しないようにしている。
【００２６】
治療寝台４は、搭載した患者の患部の位置を微調整するために図示しない駆動部によって上下左右に移動可能に構成されている。
【００２７】
図２に示すように、照射ポート可動部２０は、化粧壁１３を貫通するほぼ角形の補強フレーム２３と、この補強フレーム２３を覆う化粧カバー２６と、この化粧カバー２６の上下内面にそれぞれ固定されて補強フレーム２３に沿って移動可能なレール２４と、これらのレール２４を水平移動させる複数のローラ２５と、これらのローラ２５に出力軸が連結された図示しない駆動モータと、を備えている。この駆動モータは、化粧壁１３に対してビーム上流側に配置されている。
【００２８】
したがって、上記駆動モータを駆動させると、その出力軸が連結されたローラ２５が回転してレール２４が水平移動することで、照射ポート可動部２０は、ＣＴ装置２と干渉しないように治療寝台４から退避する位置（２点鎖線で示す位置）まで水平移動する。
【００２９】
照射ポート可動部２０の補強フレーム２３は、治療室１４の外観意匠を損なわないように治療室１４側から極力目視できないよう化粧カバー２６で覆われている。また、ビーム取り出し部から照射ポート固定部３０の構成機器が目視できないようにビーム取り出し部にはビーム取り出し窓２０ａが設けられている。
【００３０】
次に、図１で示したスキャニング照射装置１の各機器の機能について説明する。
【００３１】
イオン源１５、線形加速器１６及びシンクロトロン１７は、本実施形態のビーム生成部を構成する。具体的に、このビーム生成部は、イオン源１５で発生させたイオンを線形加速器１６、シンクロトロン１７によって患部の奥深くまで到達可能なエネルギーまで加速してビームを生成している。
【００３２】
すなわち、線形加速器１６は、イオン源１５で発生させたイオンを加速する。シンクロトロン１７には、線形加速器１６で加速したビームが輸送され、このビームを周回させて所定のエネルギーまでさらに加速する。ビームの加速終了後は、取出し機器１８により取り出され、スキャニング電磁石１１を貫通した真空ダクト１２に輸送される。
【００３３】
スキャニング電磁石１１は、スキャニング電磁石１１に入射した粒子線ビーム８を体内患部内のビーム軸に対する垂直面（スライス面）の上の点（Ｘ、Ｙ）を走査する。このビームの走査は、図示しないスキャニング電磁石用電源の出力電流を制御することで行う。
【００３４】
レンジシフタ２１は、体内患部内のビーム軸方向の位置（Ｚ）を制御する。レンジシフタ２１は、複数の厚さのアクリル板から構成されており、これらのアクリル板を組み合わせることにより、レンジシフタ２１を通過するビームエネルギー、すなわち体内飛程を、患部のスライス面に合わせて段階的に変化させることができる。レンジシフタ２１における体内飛程の制御は、一般的には一定間隔をもって切り替えられる。なお、飛程の切り替えには、レンジシフタ２１のようなビームラインに物体を挿入する方法の他、ビーム上流側に設置された機器を電気的に制御することによってビームエネルギー自体を変更する方法もある。
【００３５】
リッジフィルタ２２は、単エネルギー粒子線ビームの非常にシャープな体内深さ方向のピーク線量（ブラッグピークと呼ばれる）を、レンジシフタ２１によって切り替えられる体内飛程の間隔に対応するように拡大するためのものである。
【００３６】
スキャニング照射用のリッジフィルタ２２は、アルミニウム製の棒片が複数並べられて構成されている。これら棒片は、ほぼ二等辺三角形の形状に形成され、ビームの経路長の違いによってビームエネルギーが変化するようになっている。
【００３７】
位置モニタ３１は、スキャニング電磁石１１により走査されたビーム位置が正しい位置にあるかどうかを識別するためのものである。位置モニタ３１は、線量モニタ３２と同様の構成を有し、短冊状に分割されたもの（ストリップ型）、あるいは容器内に複数のワイヤからなる収集電極を用いたもの（マルチワイヤ型）等が使用される。
【００３８】
線量モニタ３２は、照射線量を測定するためのものであり、容器内にて粒子線の電離作用により生じた電荷を平行電極で収集する電離箱等が用いられる。
【００３９】
次に、上記のように構成されたスキャニング照射装置１を用いた治療の手順について説明する。図３は一実施形態の粒子線治療装置を用いた治療順序の一例を示すフローチャートである。
【００４０】
図３に示すように、まず、事前にＣＴ装置２が設置された治療室１４内においてＣＴ撮影を行う（ステップＳ１）。このとき、治療寝台４に患者を固定するための固定具の表面に患部の中心と推定される位置をマーキングしておく。
【００４１】
ステップＳ２では、治療室１４内で取得したＣＴ画像を用いて治療計画を立案する。この治療計画では、照射領域の設定と、この照射領域についてどのように照射を行うかを記載した照射データ及び治療寝台４の位置設定データを作成する。また、ＣＴ画像を２次元化した２方向の画像（ＤＲＲ: Digitally reconstructed radiographデジタル再構成シミュレーション画像）を作成する。
【００４２】
次に、治療当日のフローについて説明する。
【００４３】
治療寝台４に患者を搭載し、固定具で患者を固定する。治療室１４内でマーキングした印をアイソセンターに合うよう治療寝台４を移動する（ステップＳ３）。
【００４４】
次に、ステップＳ４でＣＴ撮影を行うかを判定し、ステップＳ５でＸ線撮影を行うかを判定する。
【００４５】
ステップＳ４でＣＴ撮影を行う場合には、照射ポート可動部２０を水平移動させる。すなわち、図示しない駆動モータを駆動させ、その出力軸が連結されたローラ２５を回転させ、レール２４を水平移動させることで、照射ポート可動部２０をＣＴ装置２と干渉しないように治療寝台４から退避する位置まで水平移動させる。そして、駆動モータ３５を駆動させ、走行車輪３４を２本のレール３３に沿って走行させることで、ＣＴ装置２を画像取得位置である治療寝台４まで移動させる。この状態で、ＣＴ装置２の測定部（ガントリ）２ａを患部領域に設定し、ＣＴ撮影を行う（ステップＳ６）。
【００４６】
そのＣＴ撮影により取得したＣＴ画像と、事前に治療室１４内で取得したＣＴ画像（参照画像）とを比較し、患部位置のずれ量を計算する（ステップＳ８）。そして、このずれ量を治療寝台４に送信し、ずれ量分、治療寝台４を移動させることにより患者の位置合わせを行う（３Ｄ−３Ｄ位置決め）（ステップＳ１０）。
【００４７】
ステップＳ５でＸ線撮影装置３を行う場合には、天井９に取り付けたＦＰＤ駆動機構７ａ，７ｂを動作させ、ＦＰＤ６ａ，６ｂを所定位置に設定する。そして、床下１９に設置したＸ線管５ａ，５ｂからＸ線を患者に照射し、２方向の体内透視画像を取得する（ステップＳ７）。
【００４８】
その取得したＸ線透視画像と、事前に作成したＤＲＲ画像（参照画像）とを比較し、患部位置のずれ量を計算する（ステップＳ９）。そして、このずれ量を治療寝台４に送信し、ずれ量分、治療寝台４を移動させることにより患者の位置合わせを行う（２Ｄ−２Ｄ位置決め）（ステップＳ１０）。
【００４９】
患者の位置合わせを完了した後には、ＣＴ装置２の測定部２ａを患部領域から退避させ、照射ポート可動部２０を元の位置に戻す。そして、ビーム照射を開始する（ステップＳ１１）。
【００５０】
ステップＳ１１では、スキャニング照射装置１を用いて、以下の方法によりスキャニング照射が行われる。図４は一実施形態のスキャニング照射装置を用いた照射手順の一例を示すフローチャートである。
【００５１】
図４に示すように、まず、粒子線ビームの停止位置が患部照射領域の最深スライス（Ｚ１）に対応するよう、粒子線ビームの入射エネルギーとレンジシフタ２１における板厚が設定される（ステップＳ２１）。
【００５２】
次に、このスライスにおける患部照射領域内の一点（Ｘ１、Ｙ１）にビームが照射されるように、スキャニング電磁石１１の電流値が設定される（ステップＳ２２）。ビーム位置（Ｘ１、Ｙ１、Ｚ１）の設定が完了すると、図示しない照射制御装置はビーム出射制御装置に指令信号を出力し、ビームが出射されて照射を開始する（ステップＳ２３）。
【００５３】
上記照射制御装置には、各位置に照射する線量（プリセット値）が予め求められている。線量モニタ３２から出力される最初の点（Ｘ１、Ｙ１、Ｚ１）の線量測定値がプリセット値に到達すると、上記照射制御装置からスキャニング電磁石１１の電源に電流切替指令信号を出力し、次の点（Ｘ２、Ｙ２、Ｚ１）へビーム位置の変更が行われる（ステップＳ２４）。
【００５４】
ここで、上記照射制御装置が電流切替指令信号を出力してからスキャニング電磁石１１の電源より切替完了指令信号を受けるまでに、ビーム出射を一旦止める照射法をスポットスキャニング法と言う。また、スキャニング電磁石１１の電源の電流切替中もビーム出射を停止しない照射法をラスタースキャニング法と呼ぶ。
【００５５】
以下、線量測定値がプリセットに到達するたびにスキャニング電磁石１１の電源の電流切替を行っていく。そして、スライス中の最終点（ＸＮ、ＹＮ、Ｚ１）に到達すると、ビーム出射が停止され、レンジシフタ２１の板厚を変更することにより、一つ手前のスライス位置に変更される（ステップＳ２５、Ｓ２６）。
【００５６】
今度は、次のスライスにおける患部照射領域内の一点（Ｘ１、Ｙ１、Ｚ２）にビームが照射されるようスキャニング磁石の電流が設定される。そして、先のスライスと同様に照射領域内の照射を行っていく。
【００５７】
このように順次、スライス内の照射を行っていき、全スライスの照射の終了により一連の照射を終了する（ステップＳ１２、ステップＳ２７、Ｓ２８）。
【００５８】
このような粒子線治療は、通常、投与線量を複数に分割し、数日かけて照射を行う。ＣＴ装置２では、撮影にかかる被曝量が高いため、例えば初回のみ３Ｄ−３Ｄ位置決めとし、次回からは比較的被曝量が低いＸ線撮影装置３を用いて２Ｄ−２Ｄ位置決めを行うことが望ましい。
【００５９】
次に、本実施形態の作用及び効果について説明する。
【００６０】
上記のように構成したスキャニング照射装置１では、ＣＴ装置２の測定部２ａの移動範囲内に位置する照射ポート可動部２０が水平移動可能に構成されている。このため、照射ポート可動部２０がＣＴ装置２と干渉するのを未然に回避することができる。つまり、ビーム照射可能な位置でＣＴ撮影を行うことが可能になる。
【００６１】
したがって、アイソセンターとは離れた場所にＣＴ装置２が設置された場合と異なり、治療寝台４の大幅な移動に伴う位置精度の悪化を防止することができる。よって、治療寝台４の位置精度が悪い場合であっても、３Ｄ−３Ｄ位置決めを実現することができる。
【００６２】
また、アイソセンターとは離れた場所にＣＴ装置２が設置された場合と異なり、治療寝台４の移動に伴う時間が不要になり、短時間で３Ｄ−３Ｄ位置決めを実現することができる。
【００６３】
さらに、上記のように構成されたスキャニング照射装置１では、治療室１４で治療計画用のＣＴ撮影を実施し、その治療室１４で治療計画を立案することも可能である。このとき、治療寝台４を大きく移動することなく、照射のステップに移行することができる。つまり、治療のステップを短縮し、治療計画立案して直ちに治療を開始することができることになり、患者一人当たりの治療時間を大幅に短縮することが可能になる。
【００６４】
ビーム位置を管理する位置モニタ３１は、位置精度が要求されるものの、照射ポート固定部３０に設置されているため、ビーム照射の際のビーム位置精度を確保することができる。
【００６５】
なお、照射ポート可動部２０は、ＣＴ装置２との干渉を回避するために水平方向に移動可能に構成されている。しかし、例えば図２において上下方向に移動させるようにしても、ＣＴ装置２との干渉を未然に回避することができ、同様の効果を得ることができる。
【００６６】
また、位置モニタ３１は、アイソセンターから遠い位置に設置されると、ビーム位置の検出精度が低下するだけでなく、位置モニタ３１による散乱の影響でビームサイズが拡がるという問題がある。このため、位置モニタ３１の位置は、アイソセンターから１５００ｍｍ以下の距離に固定して設置することが適切である。
【００６７】
一般に、ＦＰＤを照射ポート可動部２０に設置した場合には、ビーム照射時には退避させる必要があり、駆動機構がポート部分とＦＰＤ部分との二重構造となる。しかし、本実施形態では、ＦＰＤ６ａ，６ｂを天井９から懸架して移動させることで、照射ポート可動部２０に設置した場合よりも高い位置精度を確保することができる。
【００６８】
なお、本実施形態において、画像サイズが小さくなることを許容できる場合、ＦＰＤ６ａ，６ｂは駆動機構を用いず、ＣＴ装置２との干渉を回避した位置に固定式支持器を用いて設置するようにしてもよい。
【００６９】
（変形例）
次に、スキャニング照射装置の一実施形態の変形例について説明する。なお、本変形例では、前記実施形態と重複する説明を省略する。
【００７０】
前記実施形態における照射ポート可動部２０は水平移動可能に構成したが、本変形例の照射ポート可動部は、照射ポート固定部３０に対して取り外して移動させるように構成されている。この照射ポート可動部は、照射ポート固定部３０に例えばねじ等の固定手段によって取外し可能に取り付けられている。本変形例の照射ポート可動部は、照射ポート可動部２０と同様にＣＴ装置２の測定部２ａの移動範囲内に位置している。
【００７１】
本変形例の照射ポート可動部内には、レンジシフタ２１及びリッジフィルタ２２が設置されている。したがって、上記照射ポート可動部は、照射ポート固定部３０から取外し可能であるので、レンジシフタ２１及びリッジフィルタ２２は、それぞれ異なる種類のものと交換可能になる。
【００７２】
このように本変形例のスキャニング照射装置によれば、ＣＴ装置２の測定部２ａの移動範囲内に位置する照射ポート可動部を取り外して移動させるように構成されている。このため、照射ポート可動部がＣＴ装置２と干渉するのを未然に回避することができる。つまり、ＣＴ撮影時には照射ポート可動部を取り外して移動させ、照射時には取り付けることで、ＣＴ装置２を用いた患者の位置決めが可能である。
【００７３】
本実施形態のスキャニング照射装置では、照射中のスライス切替は、加速器にて粒子線ビームの出射エネルギーを変化させることで行う。この出射エネルギーの調整は、１ｍｍ以下の飛程（レンジ）の設定が難しいため、治療計画により設定された患部の深さ、すなわち最大飛程の調整は、上記照射ポート取外し部に設置するレンジシフタ２１を適切な厚さのものに交換することで行う。
【００７４】
このように構成された本実施形態のスキャニング照射装置でも、前記実施形態と同様の効果を実現することができる。
【００７５】
（その他の実施形態）
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更、組み合わせを行うことができる。この実施形態やその変形は、発明の範囲や要旨に含まれると同様に、特許請求の範囲に記載された発明とその均等の範囲に含まれるものである。
【００７６】
なお、上記実施形態では、水平固定式の治療寝台４を用いているが、治療椅子と天井に設置した鉛直走査方式のＣＴ装置を用いた座位照射装置についても適用可能である。この場合は、鉛直走査するＣＴ装置２の測定部２ａとの干渉を回避するように照射ポート可動部２０が構成される。また、ＣＴ装置２としては、コーンビームＣＴ装置を用いるようにしてもよい。
【００７７】
さらに、上記実施形態では、飛程調整器としてのレンジシフタ２１の全てを照射ポート可動部２０に設置するようにしたが、これに限らず少なくとも一部を設置するようにしてもよい。
【符号の説明】
【００７８】
１…スキャニング照射装置（粒子線照射装置）、２…ＣＴ装置（他の装置）、２ａ…測定部、３…Ｘ線撮影装置、４…治療寝台、５ａ，５ｂ…Ｘ線管、６ａ，６ｂ…ＦＰＤ、７ａ，７ｂ…ＦＰＤ駆動機構、８…粒子線ビーム、９…天井、１０…照射ポート、１１…スキャニング電磁石（ビーム走査電磁石）、１２…真空ダクト、１３…化粧壁、１４…治療室、１５…イオン源、１６…線形加速器、１７…シンクロトロン、１８…取出し機器、１９…床下、２０…照射ポート可動部、２１…レンジシフタ（飛程調整器）、２２…リッジフィルタ、２３…補強フレーム、２４…レール、２５…ローラ、２６…化粧カバー、３０…照射ポート固定部、３１…位置モニタ、３２…線量モニタ、３３…レール、３４…走行車輪、３５…駆動モータ
【図１】
0006433792.tif 000002
【図２】
0006433792.tif 000003
【図３】
0006433792.tif 000004
【図４】
0006433792.tif 000005